(57)【特許請求の範囲】
【請求項１】
背面に調理設備が設けられる背板と、
一対の対向する側板と、
人工大理石の天板と、
前記天板の下方に配置されて前記天板との間に上段収納棚を形成する上段棚板と、
前記天板を支持する天板支持部材と、を備え、
前記天板支持部材は、
前記天板の下方に配置されて前記一対の側板に固定された水平支持板と、
前記水平支持板の手前側に配置されて前記水平支持板に固定された前框と、を有し、
前記水平支持板は、前記天板の中央部を支持し、
前記前框は、前記天板の前端部を支持する、
キッチン前収納棚。
【請求項２】
前記上段収納棚は、一方の前記側板から他方の前記側板までキッチン前収納棚の幅方向に貫通されている、
請求項１に記載のキッチン前収納棚。
【請求項３】
前記前框は、前記天板と前記水平支持板との間に空間が形成されるように前記天板を支持し、
前記天板支持部材は、前記空間において前記天板に接着されて前記水平支持板に固定される固定用板を更に有する、
請求項１又は２に記載のキッチン前収納棚。
【請求項４】
前記天板支持部材は、前記キッチン前収納棚の幅方向に延びて前記上段棚板に対して前記水平支持板を支持する垂直支持部材を更に有する、
請求項１〜３の何れか一項に記載のキッチン前収納棚。
【請求項５】
前記前框は、前記前框の前端面に向けて前記天板側に傾斜する傾斜底面を有する、
請求項１〜４の何れか一項に記載のキッチン前収納棚。
【請求項６】
前記天板は、前記前框から突出する、
請求項１〜５の何れか一項に記載のキッチン前収納棚。
【請求項７】
前記背板は、前記天板まで延びており、前記天板の後端部を下方から支持している、
請求項１〜６の何れか一項に記載のキッチン前収納棚。
【発明の詳細な説明】
【技術分野】
【０００１】
本発明は、キッチン前収納等に用いられる収納棚に関する。
【背景技術】
【０００２】
従来から、キッチンとダイニングとの間に配置されるキッチン前収納棚が知られている（例えば、特許文献１，２参照）。このようなキッチン前収納棚としては、天板と調理台との統一性を図るために、天板にも調理台と同じ人工大理石が用いられるものがある。
【先行技術文献】
【特許文献】
【０００３】
【特許文献１】特開２００３−１８９９５２号公報
【特許文献２】特開平０６−０７０８２４号公報
【発明の概要】
【発明が解決しようとする課題】
【０００４】
近年、意匠的な観点から、キッチン前収納棚の最上段を、キッチン前収納棚の幅方向全域に亘って仕切りのないオープン棚にしたいとの要望がある。
【０００５】
しかしながら、このようなオープン棚では、天板を支持する仕切が無いため、天板に重量物である人工大理石を用いると、天板の前端部が垂れ下がり易くなって耐荷重性が低下するという問題がある。そこで、天板の重量増加を抑制するとともに、キッチン前収納棚にシャープで軽快な意匠性を与えるために、人工大理石の天板を薄くすることが考えられる。しかしながら、単に天板を薄くするだけでは、天板の剛性が小さくなって耐荷重性が低下するという問題がある。
【０００６】
そこで、本発明は、天板に人工大理石を用いる場合に、天板を薄くしつつ耐荷重性の低下を抑制できるキッチン前収納棚を提供することを課題とする。
【課題を解決するための手段】
【０００７】
本発明に係るキッチン前収納棚は、背面に調理設備が設けられる背板と、一対の対向する側板と、人工大理石の天板と、天板の下方に配置されて天板との間に上段収納棚を形成する上段棚板と、天板を支持する天板支持部材と、を備え、天板支持部材は、天板の下方に配置されて一対の側板に固定された水平支持板と、水平支持板の手前側に配置されて水平支持板に固定された前框と、を有し、水平支持板は、天板の中央部を支持し、前框は、天板の前端部を支持する。
【０００８】
本発明に係るキッチン前収納棚では、天板に人工大理石が用いられており、天板と上段棚板との間に上段収納棚が形成されている。天板の中央部は、天板の下方に配置されて一対の側板に固定された水平支持板に支持されており、天板の前端部は、水平支持板の手前側に配置されて水平支持板に固定された前框に支持されている。このため、天板を薄くしても、耐荷重性が低下するのを抑制することができる。
【０００９】
この場合、上段収納棚は、一方の側板から他方の側板までキッチン前収納棚の幅方向に貫通されていることが好ましい。このキッチン前収納棚では、上段収納棚が一方の側板から他方の側板までキッチン前収納棚の幅方向に貫通されているため、キッチン前収納棚に幅方向に広がる意匠性を与えることができる。
【００１０】
また、前框は、天板と水平支持板との間に空間が形成されるように天板を支持し、天板支持部材は、空間において天板に接着されて水平支持板に固定される固定用板を更に有することが好ましい。このキッチン前収納棚では、前框により天板と水平支持板との間に空間が形成されるため、前框を高くすることにより前框の耐荷重性を向上させることができるとともに、上段収納棚の上方に配置される天板及び天板支持部材の軽量化を図ることができる。そして、天板に接着された固定用板が水平支持板に固定されることで、水平支持板に対して天板を固定することができる。
【００１１】
また、天板支持部材は、キッチン前収納棚の幅方向に延びて上段棚板に対して水平支持板を支持する垂直支持部材を更に有することが好ましい。このキッチン前収納棚では、キッチン前収納棚の幅方向に延びる垂直支持部材が、上段棚板に対して水平支持板を支持するため、キッチン前収納棚の幅方向全域に亘って仕切りのない上段収納棚を形成しつつ、水平支持板及び天板の耐荷重性を向上することができる。
【００１２】
また、前框は、前框の前端面に向けて天板側に傾斜する傾斜底面を有し、天板は、前框から突出することが好ましい。このキッチン前収納棚では、前框は、傾斜底面により前框の前端面に向けて天板側に傾斜するため、天板を薄く見せることができる。また、天板が前框から突出しているため、天板と前框とが面一になっている場合に比べて、天板を薄く見せることができる。これにより、キッチン前収納棚にシャープで軽快な意匠性を与えることができる。
【発明の効果】
【００１３】
本発明によれば、天板に人工大理石を用いる場合に、天板を薄くしつつ耐荷重性の低下を抑制できる。
【図面の簡単な説明】
【００１４】
【図１】実施形態のキッチン前収納棚の斜視図である。
【図２】図１に示すキッチン前収納棚の正面図である。
【図３】図１に示すキッチン前収納棚の平面図である。
【図４】図３に示すＩＩＩ−ＩＩＩ線における断面図である。
【図５】図３に示す断面図の一部拡大図である。
【図６】図５に示すＶＩ−ＶＩ線における断面図である。
【図７】天板の支持構造の変形例を示す図である。
【図８】天板の支持構造の変形例を示す図である。
【図９】天板の支持構造の変形例を示す図である。
【図１０】天板の支持構造の変形例を示す図である。
【図１１】天板の支持構造の変形例を示す図である。
【図１２】天板の支持構造の変形例を示す図である。
【図１３】天板の支持構造の変形例を示す図である。
【図１４】天板の支持構造の変形例を示す図である。
【発明を実施するための形態】
【００１５】
以下、図面を参照して、実施形態のキッチン前収納棚について詳細に説明する。なお、全図中、同一または相当部分には同一符号を付し、重複する説明を省略する。
【００１６】
図１は、実施形態のキッチン前収納棚の斜視図である。図２は、図１に示すキッチン前収納棚の正面図である。図３は、図１に示すキッチン前収納棚の平面図である。図４は、図３に示すＩＩＩ−ＩＩＩ線における断面図である。図５は、図３に示す断面図の一部拡大図である。図６は、図５に示すＶＩ−ＶＩ線における断面図である。図１〜図６に示すように、本実施形態のキッチン前収納棚１は、キッチンとダイニングとの間に配置されて、背面に調理設備が設けられる収納棚である。キッチン前収納棚１は、調理設備２と、背板３と、一対の対向する側板４Ａ，４Ｂと、前面収納部５と、側面収納部６と、天板７と、天板支持部材８と、を備える。なお、本実施形態では、前面収納部が配置される側が前側となり、調理設備が配置される側が後側となる。そして、キッチン前収納棚１の幅方向は、キッチン前収納棚１の正面視における左右方向、つまり図２における左右方向となる。
【００１７】
調理設備２は、キッチンにおいて調理を行う設備である。調理設備２は、例えば、流し台２１、調理台２２、コンロ２３、収納部２４等を備えている。
【００１８】
背板３は、キッチン前収納棚１の幅方向全域に延びる矩形の板状部材である。背板３の背面には、調理設備２が設けられる。背板３の前面には、前面収納部５が設けられる。つまり、背板３は、調理設備２の背板及び前面収納部５の背板として機能する。背板３は、キッチン前収納棚１の設置面に立設されている。そして、背板３は、天板７まで延びており、天板７の後端部を下方から支持している。なお、背板３の背面には、調理設備２の上方に、耐水性の化粧板３１が貼り付けられる。
【００１９】
側板４Ａ，４Ｂは、キッチン前収納棚１の前後方向に延びる矩形の板状部材である。側板４Ａは、キッチン前収納棚１の右側に配置される側板であり、側板４Ｂは、キッチン前収納棚１の左側に配置される側板である。側板４Ａ，４Ｂは、キッチン前収納棚１の設置面に立設されている。そして、側板４Ａ，４Ｂは、天板７まで延びており、天板７の両側端部を下方から支持している。なお、側板４Ａ，側板４Ｂの外表面には、化粧板が貼り付けられている。
【００２０】
前面収納部５は、背板３の前面に設けられて、キッチン前収納棚１の前方に向けられた収納設備である。前面収納部５は、下段棚板５１と、上段棚板５２と、を備えている。
【００２１】
下段棚板５１は、前面収納部５の下部において前面収納部５を上下に仕切る棚板である。下段棚板５１は、側板４Ａから側板４Ｂまで延びる矩形板状に形成されており、その両端が側板４Ａ及び側板４Ｂに固定されている。側板４Ａ及び側板４Ｂに対する下段棚板５１の固定は、例えば、下段棚板５１の両側面に埋設されたボルト用アンカ（不図示）に、側板４Ａ及び側板４Ｂを挿通させたボルト（不図示）を締結することにより行うことができる。
【００２２】
上段棚板５２は、前面収納部５の上部において前面収納部５を上下に仕切る棚板である。上段棚板５２は、側板４Ａから側板４Ｂまで延びる矩形板状に形成されており、その両端が側板４Ａ及び側板４Ｂに固定されている。側板４Ａ及び側板４Ｂに対する上段棚板５２の固定は、例えば、上段棚板５２の両側面に埋設されたボルト用アンカ（不図示）に、側板４Ａ及び側板４Ｂを挿通させたボルト（不図示）を締結することにより行うことができる。
【００２３】
前面収納部５には、下段棚板５１と上段棚板５２とにより、前面収納部５の下段に位置する蹴込５３と、前面収納部５の中段に位置する戸棚５４と、前面収納部５の上段に位置するオープン棚５５と、が形成されている。つまり、前面収納部５は、蹴込５３、戸棚５４及びオープン棚５５の三段構成となっている。
【００２４】
蹴込５３は、前面収納部５を支える基台となる部位であり、足が入り込むように戸棚５４の前端よりも奥側に凹んでいる。
【００２５】
戸棚５４は、前面に開閉可能な扉５６が配置された収納棚である。戸棚５４は、１又は複数の戸棚用仕切板５４ａと、１又は複数の戸棚用着脱棚板５４ｂと、戸棚用背板５４ｃと、を備えている。
【００２６】
戸棚用仕切板５４ａは、戸棚５４をキッチン前収納棚１の幅方向に仕切る仕切板である。戸棚用仕切板５４ａは、下段棚板５１から上段棚板５２まで垂直方向に延びる矩形板状に形成されており、その両端が下段棚板５１及び上段棚板５２に当接されている。このため、戸棚用仕切板５４ａは、上段棚板５２を下方から支持する。なお、戸棚用仕切板５４ａの上下端は、下段棚板５１及び上段棚板５２に固定されていてもよい。この場合、側板４Ａ及び側板４Ｂに対する上段棚板５２の固定は、例えば、接着又はボルト締めにより行うことができる。
【００２７】
戸棚用着脱棚板５４ｂは、戸棚５４をキッチン前収納棚１の上下向に仕切る棚板である。戸棚用着脱棚板５４ｂは、側板４Ａ、戸棚用仕切板５４ａ及び側板４Ｂにより仕切られる各空間において、着脱可能に設置される。戸棚用着脱棚板５４ｂの設置は、例えば、側板４Ａ、戸棚用仕切板５４ａ及び側板４Ｂに固定されたダボに戸棚用着脱棚板５４ｂを載置することにより行うことができる。
【００２８】
戸棚用背板５４ｃは、キッチン前収納棚１の幅方向全域に延びる矩形の板状部材である。戸棚用背板５４ｃは、背板３の前方に配置されて、スペーサー５４ｄを介して背板３に固定される。このため、戸棚用背板５４ｃは、戸棚５４の背板として機能する。戸棚用背板５４ｃは、下段棚板５１に立設されている。そして、戸棚用背板５４ｃは、上段棚板５２まで延びて、上段棚板５２の後端部を下方から支持している。
【００２９】
オープン棚５５は、前面が開放された収納棚である。なお、オープン棚５５は、戸棚５４の上段に位置するため、上段収納棚ともいう。オープン棚５５は、側板４Ａから側板４Ｂまでキッチン前収納棚１の幅方向に貫通されている。つまり、オープン棚５５には、側板４Ａと側板４Ｂとの間において、奥行き方向に延びてオープン棚５５を幅方向に仕切る仕切板が設けられていない。
【００３０】
側面収納部６は、背板３の背面に設けられて、キッチン前収納棚１の調理設備２とは反対側の側方に向けられた収納設備である。側面収納部６は、本等を展示、収納等する棚板６１と、背板３とは反対側に配置される側板６２と、を備える。そして、側面収納部６は、調理設備２の側面収納部６側の側板（不図示）を背板（不図示）として利用し、背板３を一方側の側板として利用する。
【００３１】
天板７は、前面収納部５及び側面収納部６の天板として機能する。天板７は、人工大理石により形成された薄い板状部材である。天板７は、前面収納部５に沿って延びる第一天板部７１と、側面収納部６に沿って延びる第二天板部７２と、を備えている。つまり、天板７は、第一天板部７１及び第二天板部７２により、Ｌ字状に形成されている。天板７は、調理台２２よりも高い位置に配置されている。また、天板７は、カウンターとしても利用されるため、カウンターとして使い勝手の良い高さに配置されている。
【００３２】
ところで、人工大理石の原板は、一般に所定の規定サイズで流通している。このため、略Ｌ字状に形成された天板７を形成するためには、二枚の原板を接合する必要がある。一方、Ｌ字状の天板７は、運搬等する際に、その内隅において最も強い応力を受ける。このため、二枚の原板を、それぞれ第一天板部７１と第二天板部７２とに分けると、その内隅を起点として第一天板部７１と第二天板部７２との境界に亀裂が生じる可能性がある。そこで、二枚の原板の接合面７３を、第一天板部７１と第二天板部７２との境界ではなく、第一天板部７１内又は第二天板部７２内に位置することが好ましい。本実施形態では、接合面７３を、第二天板部７２内に位置するものとして説明する。つまり、第一天板部７１と第二天板部７２の一部とにより構成されるＬ字状の部分を一枚の原板で形成し、第二天板部７２の残りの一部により構成される矩形の部分を他の一枚の原板で形成する。
【００３３】
天板支持部材８は、天板７を支持する部材である。天板支持部材８は、水平支持板８２と、前框８３と、１又は複数の固定用板８４と、垂直支持板８５と、を備える。天板支持部材８を構成する補助垂直板８１、水平支持板８２、前框８３、固定用板８４及び垂直支持板８５は、人工大理石よりも軽い素材、例えば木材により構成されている。
【００３４】
水平支持板８２は、天板７の下方に配置されている。水平支持板８２は、側板４Ａから側板４Ｂまで水平方向に延びる矩形板状に形成されており、その両端が側板４Ａ及び側板４Ｂに固定されている。側板４Ａ及び側板４Ｂに対する水平支持板８２の固定は、例えば、図６に示すように、水平支持板８２の両側面に埋設されたボルト用アンカ８７に、側板４Ａ及び側板４Ｂを挿通させたボルト８８を締結することにより行うことができる。この場合、側板４Ａ及び側板４Ｂに対する水平支持板８２の支持強度を高めるために、ボルト用アンカ８７及びボルト８８の組は、キッチン前収納棚１の奥行き方向に複数設けることが好ましい。
【００３５】
水平支持板８２の後端は、背板３に当接されている。なお、水平支持板８２の後端は、背板３に固定されていてもよい。この場合、背板３に対する水平支持板８２の固定は、例えば、水平支持板８２の後端面に埋設されたボルト用アンカ（不図示）に、背板３を挿通させたボルト（不図示）を締結することにより行うことができる。
【００３６】
前框８３は、側板４Ａから側板４Ｂまで水平方向に延びる棒状に形成されている。前框８３は、水平支持板８２の手前側に配置されており、前框８３の後端部は、水平支持板８２の前端部に固定されている。水平支持板８２に対する前框８３の固定は、例えば、次のように行うことができる。水平支持板８２の前端部に、幅方向全域に延びる凸部８２ａを設け、前框８３の後端部に、幅方向全域に延びる凹溝８３ａを設ける。そして、凸部８２ａを凹溝８３ａに嵌め込んで、凸部８２ａと凹溝８３ａとを接着する。これにより、水平支持板８２に対して前框８３を固定することができる。なお、図６に示すように、前框８３は、水平支持板８２にのみ固定され、側板４Ａ，４Ｂには固定されない。
【００３７】
そして、前框８３は、天板７と水平支持板８２との間に空間Ａが形成されるように、天板７を支持する。具体的に説明すると、前框８３の高さ（厚さ）を、水平支持板８２の厚さよりも大きくする。また、前框８３の下面を、水平支持板８２の下面と面一にすることで、前框８３を水平支持板８２よりも上方に突出させる。そして、前框８３の水平支持板８２よりも上方に突出した部分に天板７を載置する。これにより、天板７と水平支持板８２との間に空間Ａが形成されるように、前框８３により天板７を支持することができる。
【００３８】
また、前框８３には、傾斜底面８３ｂが形成されている。傾斜底面８３ｂは、前框８３の手前側の底面であり、前框８３の前端面に向けて天板７側に傾斜している。傾斜底面８３ｂは、例えば、前框８３の手前側の下部に位置する角部を面取りすることにより形成することができる。更に、天板７は、前框８３から前方に突出している。なお、天板７は、背板３からも後方に突出している。
【００３９】
固定用板８４は、空間Ａにおいて天板７に接着されている。なお、固定用板８４は、天板７の前面に接着されてもよいが、天板７の反り防止、固定用板８４の軽量化などの観点から、天板７の一部にのみ接着されていることが好ましい。そして、天板７に接着された固定用板８４は、水平支持板８２に固定されている。このため、水平支持板８２は、固定用板８４を介して、天板７の中央部を下方から支持する。水平支持板８２に対する固定用板８４の固定は、例えば、固定用板８４に挿通したネジ８６を固定用板８４にねじ込むことにより行うことができる。なお、固定用板８４が複数ある場合、隣り合う固定用板８４を所定間隔で離間させることが好ましい。
【００４０】
垂直支持板８５は、キッチン前収納棚１の幅方向に延びて上段棚板５２に対して水平支持板８２を支持する垂直支持部材である。垂直支持板８５は、キッチン前収納棚１の幅方向全域に延びる矩形板状に形成されており、その両端が側板４Ａ及び側板４Ｂに固定されている。側板４Ａ及び側板４Ｂに対する垂直支持板８５の固定は、例えば、垂直支持板８５の両側面に埋設されたボルト用アンカ（不図示）に、側板４Ａ及び側板４Ｂを挿通させたボルト（不図示）を締結することにより行うことができる。
【００４１】
垂直支持板８５は、上段棚板５２の前後方向における中央部に立設されている。そして、垂直支持板８５は、水平支持板８２まで垂直に延びて、水平支持板８２の前後方向における中央部を下方から支持している。なお、垂直支持板８５は、上段棚板５２及び水平支持板８２に固定されていてもよい。この場合、上段棚板５２及び水平支持板８２に対する垂直支持板８５の固定は、例えば、接着又はボルト締めにより行うことができる。
【００４２】
ところで、垂直支持板８５は、上段棚板５２と天板７及び天板支持部材８との間の空間を前後方向に仕切る。そして、垂直支持板８５の前面側の空間Ｂが、オープン棚５５となり、垂直支持板８５の背面側の空間Ｃが、キッチン前収納棚１の各種配線を収納する配線スペースとなる。なお、空間Ｂは、側板４Ａ、側板４Ｂ、上段棚板５２、天板支持部材８（水平支持板８２及び前框８３）及び垂直支持板８５により囲まれて、前方に開放される空間である。また、空間Ｃは、側板４Ａ、側板４Ｂ、上段棚板５２、天板支持部材８（水平支持板８２及び前框８３）、垂直支持板８５及び補助垂直板８１（背板３）により囲まれる閉空間である。
【００４３】
なお、上段棚板５２に対する垂直支持板８５の立設位置は、上段棚板５２の前後方向における何れの位置であってもよく、背板３に近づくほどオープン棚５５の空間Ｂを広く取ることができ、背板３から遠ざかるほど水平支持板８２の支持強度を向上させることができる。
【００４４】
このように、本実施形態のキッチン前収納棚１では、天板７に人工大理石が用いられており、天板７と上段棚板５２との間にオープン棚５５が形成されている。天板７の中央部は、天板７の下方に配置されて一対の側板４Ａ，４Ｂに固定された水平支持板８２に固定されており、天板７の前端部は、水平支持板８２の手前側に配置されて水平支持板８２に固定された前框８３に支持されている。このため、天板７を薄くしても、耐荷重性が低下するのを抑制することができる。
【００４５】
また、オープン棚５５が側板４Ａから側板４Ｂまでキッチン前収納棚１の幅方向に貫通されているため、キッチン前収納棚１に幅方向に広がる意匠性を与えることができる。
【００４６】
また、前框８３により天板７と水平支持板８２との間に空間Ａが形成されるため、前框８３を高くすることにより前框８３の耐荷重性を向上させることができるとともに、オープン棚５５の上方に配置される天板７及び天板支持部材８の軽量化を図ることができる。しかも、空間Ａは、収納空間、配線用の空間等として使用することができる。そして、天板７に接着された固定用板８４が水平支持板８２に固定されることで、水平支持板８２に対して天板７を固定することができる。
【００４７】
また、前框８３が水平支持板８２にのみ固定されて側板４Ａ，４Ｂには固定されないため、側板４Ａ，４Ｂに対する天板支持部材８の取り付け作業性を向上することができる。
【００４８】
また、キッチン前収納棚１の幅方向に延びる垂直支持板８５が、上段棚板５２に対して水平支持板８２を支持するため、キッチン前収納棚１の幅方向全域に亘って仕切りのないオープン棚５５を形成しつつ、水平支持板８２及び天板７の耐荷重性を向上することができる。
【００４９】
また、前框８３は、傾斜底面８３ｂにより前框８３の前端面に向けて天板７側に傾斜するため、天板７を薄く見せることができる。これにより、キッチン前収納棚１にシャープで軽快な意匠性を与えることができる。
【００５０】
また、天板７が前框８３から突出しているため、天板７と前框８３とが面一になっている場合に比べて、天板７を薄く見せることができる。これにより、キッチン前収納棚１にシャープで軽快な意匠性を与えることができる。
【００５１】
以上、本発明の好適な実施形態について説明したが、本発明は上記実施形態に限定されるものではない。
【００５２】
例えば、上記実施形態では、側面収納部６を備えるものとして説明したが、収納部としては、前面収納部５のみ備えており、側面収納部６を備えなくてもよい。
【００５３】
また、上記実施形態では、天板７の支持構造について具体的に説明したが、例えば図７〜図１４に示すように、天板７は、前框８３の他に、如何なる部材により支持してもよい。図７〜図１４は、図５に対応する図であって、天板の支持構造の変形例を示す図である。
【００５４】
図７に示す変形例のキッチン前収納棚１Ａでは、垂直支持部材として機能する垂直支持板８５が設けられていない。このため、空間Ｂを広くすることができる。この場合、水平支持板８２は、側板４Ａ，４Ｂに固定されるが、下方から支持されない。なお、キッチン前収納棚１Ａでは、水平支持板８２の支持強度を向上させるために、水平支持板８２は、背板３に固定されていることが好ましい。そして、天板７は、上記実施形態と同様に、前端部において前框８３に支持され、後端部において背板３に支持され、両側端部において側板４Ａ，４Ｂに支持され、前後方向中央部において固定用板８４を介して水平支持板８２に支持される。
【００５５】
図８に示す変形例のキッチン前収納棚１Ｂでは、垂直支持部材として機能する垂直支持板８５が設けられていない。また、このキッチン前収納棚１Ｂでは、背板３は、設置面に立設されておらずに、上段棚板５２に立設されている。この場合、水平支持板８２は、側板４Ａ，４Ｂに固定されるが、下方から支持されない。なお、キッチン前収納棚１Ｂでは、水平支持板８２の支持強度を向上させるために、水平支持板８２は、背板３に固定されていることが好ましい。そして、天板７は、上記実施形態と同様に、前端部において前框８３に支持され、後端部において背板３に支持され、両側端部において側板４Ａ，４Ｂに支持され、前後方向中央部において固定用板８４を介して水平支持板８２に支持される。これにより、空間Ｂを広くすることができる。
【００５６】
図９に示す変形例のキッチン前収納棚１Ｃでは、背板３が天板７に当接しておらず、天板７と背板３との間に隙間が形成されている。つまり、天板７は、背板３により下方から支持されない。なお、キッチン前収納棚１Ｃでは、水平支持板８２の支持強度を向上させるために、水平支持板８２は、垂直支持板８５に固定されていることが好ましい。この場合、水平支持板８２は、上記実施形態と同様に、垂直支持板８５により下方から支持される。そして、天板７は、前端部において前框８３に支持され、両側端部において側板４Ａ，４Ｂに支持され、前後方向中央部において固定用板８４を介して水平支持板８２に支持される。これにより、天板７と背板３との納まりが良くなる。
【００５７】
図１０に示す変形例のキッチン前収納棚１Ｄでは、背板３が天板７に当接しておらず、天板７と背板３との間に隙間が形成されている。つまり、天板７は、背板３により下方から支持されない。また、このキッチン前収納棚１Ｄでは、垂直支持板８５の代わりに箱型補強部材９１が設けられている。箱型補強部材９１は、キッチン前収納棚１Ｄの幅方向に延びて上段棚板５２に対して水平支持板８２を支持する垂直支持部材である。箱型補強部材９１は、キッチン前収納棚１の幅方向に延びる箱状に形成されている。箱型補強部材９１は、キッチン前収納棚１の幅方向全域に延びていてもよく、キッチン前収納棚１の幅方向全域に延びていなくてもよい。箱型補強部材９１がキッチン前収納棚１の幅方向全域に延びていない場合、箱型補強部材９１は、キッチン前収納棚１の幅方向に一つのみ設けられていてもよく、キッチン前収納棚１の幅方向に複数設けられていてもよい。箱型補強部材９１の上面は、水平支持板８２の下面に当接されている。箱型補強部材９１の下面は、上段棚板５２の上面に当接されている。箱型補強部材９１の背面は、背板３の前面に当接されている。箱型補強部材９１の両側面は、側板４Ａ，４Ｂの内面に当接されている。この場合、水平支持板８２は、箱型補強部材９１により下方から支持される。なお、キッチン前収納棚１Ｄでは、水平支持板８２の支持強度を向上させるために、水平支持板８２は、箱型補強部材９１に固定されていることが好ましい。そして、天板７は、前端部において前框８３に支持され、両側端部において側板４Ａ，４Ｂに支持され、前後方向中央部において固定用板８４を介して水平支持板８２に支持される。これにより、天板７と背板３との納まりが良くなる。また、水平支持板８２の支持強度が向上する。
【００５８】
図１１に示す変形例のキッチン前収納棚１Ｅでは、背板３は、設置面に立設されておらずに、上段棚板５２に立設されている。また、このキッチン前収納棚１Ｅでは、補助水平板９２が更に設けられている。補助水平板９２は、キッチン前収納棚１の幅方向全域に延びる矩形板状に形成されている。補助水平板９２は、垂直支持板８５と背板３との間において、上段棚板５２の上面に当接されている。補助水平板９２の前端は、垂直支持板８５に固定されており、補助水平板９２の後端は、背板３に固定されている。この場合、水平支持板８２は、上記実施形態と同様に、垂直支持板８５により下方から支持される。なお、キッチン前収納棚１Ｅでは、水平支持板８２の支持強度を向上させるために、水平支持板８２は、垂直支持板８５に固定されていることが好ましい。そして、天板７は、上記実施形態と同様に、前端部において前框８３に支持され、後端部において背板３に支持され、両側端部において側板４Ａ，４Ｂに支持され、前後方向中央部において固定用板８４を介して水平支持板８２に支持される。これにより、背板３の下端部が補助水平板９２に固定されるため、背板３が傾倒するのを抑制できる。
【００５９】
図１２に示す変形例のキッチン前収納棚１Ｆでは、垂直支持板８５の代わりに箱型補強部材９１が設けられている。箱型補強部材９１は、キッチン前収納棚１Ｆの幅方向に延びて上段棚板５２に対して水平支持板８２を支持する垂直支持部材であり、キッチン前収納棚１Ｄの箱型補強部材９１と同じものである（図１０参照）。この場合、水平支持板８２は、箱型補強部材９１により下方から支持される。なお、キッチン前収納棚１Ｆでは、水平支持板８２の支持強度を向上させるために、水平支持板８２は、箱型補強部材９１に固定されていることが好ましい。そして、天板７は、上記実施形態と同様に、前端部において前框８３に支持され、後端部において背板３に支持され、両側端部において側板４Ａ，４Ｂに支持され、前後方向中央部において固定用板８４を介して水平支持板８２に支持される。これにより、水平支持板８２の支持強度が向上する。
【００６０】
図１３に示す変形例のキッチン前収納棚１Ｇでは、箱型補強部材９１が更に設けられている。箱型補強部材９１は、キッチン前収納棚１Ｇの幅方向に延びて上段棚板５２に対して水平支持板８２を支持する垂直支持部材であり、キッチン前収納棚１Ｄの箱型補強部材９１と同じものである（図１０参照）。そして、箱型補強部材９１の前面が、垂直支持板８５の背面に当接されている。なお、キッチン前収納棚１Ｇでは、水平支持板８２の支持強度を向上させるために、水平支持板８２は、垂直支持板８５及び箱型補強部材９１に固定されていることが好ましい。この場合、水平支持板８２は、垂直支持板８５及び箱型補強部材９１により下方から支持される。そして、天板７は、上記実施形態と同様に、前端部において前框８３に支持され、後端部において背板３に支持され、両側端部において側板４Ａ，４Ｂに支持され、前後方向中央部において固定用板８４を介して水平支持板８２に支持される。これにより、水平支持板８２の支持強度が更に向上する。
【００６１】
図１４に示す変形例のキッチン前収納棚１Ｈでは、箱型補強部材９１と、補助垂直板９３と、が更に設けられている。箱型補強部材９１は、キッチン前収納棚１Ｈの幅方向に延びて上段棚板５２に対して水平支持板８２を支持する垂直支持部材であり、キッチン前収納棚１Ｄの箱型補強部材９１と同じものである（図１０参照）。箱型補強部材９１は、垂直支持板８５と背板３との間に配置されて、垂直支持板８５に当接されている。補助垂直板９３は、キッチン前収納棚１Ｈの幅方向に延びて上段棚板５２に対して水平支持板８２を支持する垂直支持部材である。補助垂直板９３は、キッチン前収納棚１の幅方向全域に延びる矩形板状に形成されている。補助垂直板９３は、上段棚板５２の前後方向における後端部（背板３側の端部）に立設されている。そして、補助垂直板９３は、天板７まで延びて、天板７の後端部を下方から支持している。また、補助垂直板９３は、箱型補強部材９１と背板３との間に配置されて、箱型補強部材９１及び背板３に当接されている。なお、キッチン前収納棚１Ｈでは、水平支持板８２の支持強度を向上させるために、水平支持板８２は、垂直支持板８５及び箱型補強部材９１に固定されていることが好ましい。この場合、水平支持板８２は、垂直支持板８５及び箱型補強部材９１により下方から支持される。そして、天板７は、前端部において前框８３に支持され、後端部において背板３及び補助垂直板９３に支持され、両側端部において側板４Ａ，４Ｂに支持され、前後方向中央部において固定用板８４を介して水平支持板８２に支持される。これにより、水平支持板８２の支持強度が更に向上する。また、垂直支持板８５が傾倒するのを抑制できる。
【００６２】
このように、図７〜図１４に示す変形例のキッチン前収納棚１Ａ〜１Ｈにおいても、天板７の前端部が前框８３により支持されるため、上記実施形態と同様に、天板７を薄くしても、耐荷重性が低下するのを抑制することができる。なお、キッチン前収納棚１Ａ〜１Ｈにおいて、天板７は、側板４Ａ，４Ｂに支持されていなくてもよい。また、キッチン前収納棚１Ａのように背板３が設置面に立設されていない場合、調理設備２と前面収納部５との間に隙間が生じるが、この隙間に、スペーサー等の隙間埋め材や充填材を充填することで、剛性が低下するのを抑制することができる。
【符号の説明】
【００６３】
１，１Ａ，１Ｂ，１Ｃ，１Ｄ，１Ｅ，１Ｆ，１Ｇ，１Ｈ…キッチン前収納棚、２…調理設備、３…背板、４Ａ…側板（一方の側板）、４Ｂ…側板（他方の側板）、５…前面収納部、６…側面収納部、７…天板、８…天板支持部材、２１…流し台、２２…調理台、２３…コンロ、２４…収納部、３１…化粧板、５１…下段棚板、５２…上段棚板、５３…蹴込、５４…戸棚、５４ａ…戸棚用仕切板、５４ｂ…戸棚用着脱棚板、５４ｃ…戸棚用背板、５４ｄ…スペーサー、５５…オープン棚（上段収納棚）、５６…扉、６１…棚板、６２…側板、７１…第一天板部、７２…第二天板部、７３…接合面、８２…水平支持板、８２ａ…凸部、８３…前框、８３ａ…凹溝、８３ｂ…傾斜底面、８４…固定用板、８５…垂直支持板、８６…ネジ、８７…ボルト用アンカ、８８…ボルト、９１…箱型補強部材、９２…補助水平板、９３…補助垂直板、Ａ…空間、Ｂ…空間、Ｃ…空間。
【図１】
0006620500.tif 000002
【図２】
0006620500.tif 000003
【図３】
0006620500.tif 000004
【図４】
0006620500.tif 000005
【図５】
0006620500.tif 000006
【図６】
0006620500.tif 000007
【図７】
0006620500.tif 000008
【図８】
0006620500.tif 000009
【図９】
0006620500.tif 000010
【図１０】
0006620500.tif 000011
【図１１】
0006620500.tif 000012
【図１２】
0006620500.tif 000013
【図１３】
0006620500.tif 000014
【図１４】
0006620500.tif 000015